(57)【要約】【課題】携帯電話機の着信報知設定をマナーモードに切り換えた状態でクレードル等に保持しても、着信があることが確実に報知できる携帯電話機を提供する。【解決手段】リンガーを鳴動させるリンガーモードと、バイブレータを振動させるマナーモードのいずれかに設定可能な携帯電話機において、マナーモードに設定されているか否かを判断するモード判断手段と、携帯電話機が携帯電話機を保持する携帯電話機用保持装置の所定の位置に保持されていることを検出する保持検出手段と、保持検出手段により携帯電話機が所定の位置に保持されていることが検出され、且つ、モード判断手段によりマナーモードに設定されていると判断された時には、マナーモードを解除し、リンガーモードに変更する解除手段を備える。【選択図】図１
2007174716.tif 000002
【特許請求の範囲】
【請求項１】
携帯電話機器への着信を、少なくとも音声又は、振動のいずれかにより報知するよう設定可能な着信報知制御手段と、
音声出力手段を有するハンズフリー通話用機器と接続可能な接続手段とを備え、
前記着信報知制御手段は、着信報知を振動により行なうよう設定された状態で、前記接続手段によりハンズフリー通話用機器と接続された場合に、携帯電話機器への着信があると、振動による着信報知を行なわず、前記ハンズフリー通話用機器の音声出力手段によって着信報知させるための出力を行なうことを特徴とする携帯電話機器。
【請求項２】
携帯電話機器への着信を、少なくとも音声により報知する音声モード、又は、振動により報知する振動モードのいずれかにより報知するよう設定可能な着信報知制御手段と、
音声出力手段を有するハンズフリー通話用機器と接続可能な接続手段とを備え、
前記着信報知制御手段は、振動モードに設定された状態で、前記接続手段によりハンズフリー通話用機器と接続された場合に、前記振動モードを解除し、前記ハンズフリー通話用機器の音声出力手段によって着信報知させるための出力を行なうことを特徴とする携帯電話機器。
【請求項３】
前記ハンズフリー通話用機器とデータ通信を無線で行なうための無線送受信手段を備えることを特徴とする請求項１又は２に記載の携帯電話機器。
【請求項４】
前記着信報知の設定を記憶する記憶手段を備え、
前記着信報知制御手段は、前記ハンズフリー通話用機器との接続が解除された後に、着信があった場合、前記記憶手段に記憶された設定で、着信報知をさせることを特徴とする請求項１乃至３に記載の携帯電話機器。
【請求項５】
携帯電話機器への着信を、少なくとも音声又は、振動のいずれかにより報知するよう設定可能な携帯電話機器の着信報知方法であって、
着信報知を振動により行なうよう設定された状態で、音声出力手段を有するハンズフリー通話用機器と接続された場合に、携帯電話機器への着信があると、振動による着信報知を行なわず、前記ハンズフリー通話用機器の音声出力手段によって着信報知させるための出力を行なうことを特徴とする携帯電話機器の着信報知方法。
【請求項６】
携帯電話機器への着信を、少なくとも音声により報知する音声モード、又は、振動により報知する振動モードのいずれかにより報知するよう設定可能な携帯電話機器の着信報知方法であって、
振動モードに設定された状態で、前記接続手段によりハンズフリー通話用機器と接続された場合に、前記振動モードを解除し、前記ハンズフリー通話用機器の音声出力手段によって着信報知させるための出力を行なうことを特徴とする携帯電話機器の着信報知方法。
【発明の詳細な説明】
【技術分野】
【０００１】
本発明は、携帯電話機の着信報知モードに係り、特にマナーモードに設定された状態でクレードル等に保持されても、確実に着信が判る携帯電話機に関する。
【背景技術】
【０００２】
携帯電話機において、着信を報知する着信報知手段として携帯電話機内に組み込まれたリンガーを鳴動させる鳴動方法と、会議中やコンサート中においてリンガーが鳴動すると不都合が生ずる場合には携帯電話機内に設けられたバイブレータを振動させて人体にその振動を伝達することにより着信を報知する振動方法（マナーモードと称する）の２種類がある。そして、ユーザは状況に応じてこの両報知方法を切り換えて（モード設定）使用している。例えば、クレードル（充電器や車載用ハンズフリー通話用ホルダ等）に保持して充電やハンズフリー通話を行う場合には、着信信号によりバイブレータが振動しても、携帯電話機が人体から離れており着信に気が付かない。そこで、モード設定をリンガーモード（鳴動方法）に切り換えて（設定して）リンガーが鳴動させるようにしている。
【発明の開示】
【発明が解決しようとする課題】
【０００３】
従来の携帯電話機では、クレードル等に携帯電話機を保持する時に、マナーモード設定を解除することを忘れると、着信があっても判らないという問題がある。また、その都度モード切換を行うのが煩わしいという問題がある。
本発明は、携帯電話機の着信報知設定をマナーモードに切り換えた状態でクレードル等に保持しても、着信があることが確実に報知できる携帯電話機を提供することを課題とする。
【課題を解決するための手段】
【０００４】
上記目的を達成するために本発明の携帯電話機器は、携帯電話機器への着信を、少なくとも音声又は、振動のいずれかにより報知するよう設定可能な着信報知制御手段と、音声出力手段を有するハンズフリー通話用機器と接続可能な接続手段とを備え、前記着信報知制御手段は、着信報知を振動により行なうよう設定された状態で、前記接続手段によりハンズフリー通話用機器と接続された場合に、携帯電話機器への着信があると、振動による着信報知を行なわず、前記ハンズフリー通話用機器の音声出力手段によって着信報知させるための出力を行なうことを特徴とするものである。
【０００５】
また、携帯電話機器への着信を、少なくとも音声により報知する音声モード、又は、振動により報知する振動モードのいずれかにより報知するよう設定可能な着信報知制御手段と、音声出力手段を有するハンズフリー通話用機器と接続可能な接続手段とを備え、前記着信報知制御手段は、振動モードに設定された状態で、前記接続手段によりハンズフリー通話用機器と接続された場合に、前記振動モードを解除し、前記ハンズフリー通話用機器の音声出力手段によって着信報知させるための出力を行なうことを特徴とするものである。
【０００６】
また、前記ハンズフリー通話用機器とデータ通信を無線で行なうための無線送受信手段を備えることを特徴とするものである。また、前記着信報知の設定を記憶する記憶手段を備え、前記着信報知制御手段は、前記ハンズフリー通話用機器との接続が解除された後に、着信があった場合、前記記憶手段に記憶された設定で、着信報知をさせることを特徴とするものである。
【０００７】
本発明に係る携帯電話機器の着信方法は、携帯電話機器への着信を、少なくとも音声又は、振動のいずれかにより報知するよう設定可能な携帯電話機器の着信報知方法であって、着信報知を振動により行なうよう設定された状態で、音声出力手段を有するハンズフリー通話用機器と接続された場合に、携帯電話機器への着信があると、振動による着信報知を行なわず、前記ハンズフリー通話用機器の音声出力手段によって着信報知させるための出力を行なうことを特徴とするものである。
【０００８】
また、本発明に係る携帯電話機器の着信方法は、携帯電話機器への着信を、少なくとも音声により報知する音声モード、又は、振動により報知する振動モードのいずれかにより報知するよう設定可能な携帯電話機器の着信報知方法であって、振動モードに設定された状態で、前記接続手段によりハンズフリー通話用機器と接続された場合に、前記振動モードを解除し、前記ハンズフリー通話用機器の音声出力手段によって着信報知させるための出力を行なうことを特徴とするものである。
【発明の効果】
【０００９】
以上説明したように、本発明では、マナーモードに切り換えた状態であっても、着信があることが確実に報知できる携帯電話機が提供できる。
【発明を実施するための最良の形態】
【００１０】
図１は本発明の第１の実施の形態に係る携帯電話機１の構成を示すブロック図である。図２は本発明の第１の実施の形態に係る携帯電話機の制御部１４の行う着信報知処理のフローチャートである。以下、図に従って説明する。
【００１１】
１１は公衆電話網を構成する中継局との間でデータの送受信処理を行うアンテナ１１ａを含む送受信部である。１２は送受信部１１により受信された音声信号を増幅し、スピーカから出力する音声出力部である。１３は送話者の音声を電気信号に変換し、送受信部１１に出力するマイク、増幅器等からなる音声入力部である。１４は受信報知モード（鳴動モード、振動（マナー）モード）の設定状態と電圧検出部１８の検出状態に基いて受信報知モードを変更（制御）したり、携帯電話機１全体の送受信制御を行うマイクロコンピュータ、ＲＯＭ、ＲＡＭ等からなる制御部である。１５はユーザにより送受信操作や受信報知モード設定操作が行われる押釦スイッチ等からなる操作部である。１６は着信時にリンガーを鳴動させて着信を報知する鳴動部である。１７は着信時にバイブレータを振動させて着信を報知する振動部である。１８は携帯電話機１がクレードル２（携帯電話機１の保持装置で図示せぬデータ通信のためのモデムや充電電源部２０を含む）に保持（接続）されているか否かを携帯電話機１の充電端子電圧に基いて判断するための電圧検出部である。１９は充電電源部２０からの供給電圧を基に携帯電話機１の各部に必要な電圧を供給する電源部で、充電回路、バッテリー、電源回路等から構成される。
【００１２】
２は携帯電話機１を車両の所定位置に保持するための保持装置（クレードル）で、携帯電話機１が所定の位置、姿勢で保持されると充電電源部２０と携帯電話機１の充電端子部（図示せず）が接触して電圧検出部１８、電源部１９に充電電圧が供給される。また保持装置２には、この他に上述したモデムを備え、図示を省略したスピーカ、マイクロフォン等と接続されており、携帯電話機１の機能の多くを肩代わりしてハンズフリー電話として動作できるようになっている。
【００１３】
次に、制御部１４の行う着信報知処理について図２のフローチャートに従って説明する。ステップＳ１１では、電圧検出部１８が所定の電圧（例えば、満充電に相当する電圧）を検出したか否かを判断して所定の電圧を検出すればステップＳ１２に移り、所定の電圧を検出しなければ待機する。これは携帯電話機１がクレードル２に保持されているか否かをクレードル２の充電電源部２０から携帯電話機１の充電端子に供給される電圧を基に判断するためのもので、電圧検出部１８が所定の電圧を検出すれば携帯電話機１がクレードル２に保持されていると判断する。
【００１４】
ステップＳ１２では、マナーモードに設定されているか否かを判断してマナーモードに設定されているとステップＳ１３に移り、マナーモードに設定されていなければステップＳ１４に移る。マナーモードは会議中やコンサート中に着信がありリンガーが鳴ると周囲に迷惑を及ぼす場合に、予めユーザが着信時にリンガー（鳴動部１６）を停止させ、バイブレータ（振動部１７）が作動するように設定するモードであり、この判断はユーザにより操作部（モード設定）１５にて予め設定されたモードの設定状態に基いて行う。
【００１５】
ステップＳ１３では、マナーモードを解除してステップＳ１４に移る。つまり、携帯電話機１が人体から離れてクレードル２に保持されており、この状態で、着信があって振動部１７が振動しても人体には伝達されず、着信が判らない。そこで、前記モードの設定状態をソフト処理にて変更し、マナーモードを解除して着信時に鳴動部１６が作動するように変更する。この状態で着信があると、マナーモードが解除されているため、リンガーが鳴動し着信があることが確実に報知できる。この報知によりユーザは携帯電話機１をハンズフリー等にして会話ができる。尚、携帯電話機１をクレードル２に保持する前はマナーモードであったことを制御部１４内のメモリに記憶しておく。
【００１６】
ステップＳ１４では、電圧が切断されたか（例えば、満充電以下の電圧になったか）否かを判断して電圧が切断されればステップＳ１５に移り、電圧が切断されなければ待機する。これは携帯電話機１がクレードル２から離脱されたか否かをクレードル２の充電電源部２０から携帯電話機１の充電端子に供給される電圧を基に判断するためのもので、電圧検出部１８が所定の電圧を検出できなければ携帯電話機１がクレードル２から離脱されたと判断する。
【００１７】
ステップＳ１５では、携帯電話機１がクレードル２に保持された時にマナーモードであったか否かを判断して保持時にマナーモードであればステップＳ１６に移り、保持時にマナーモードでなければ処理を終える。この判断は予めステップＳ１３で携帯電話機１をクレードル２に保持した時（マナーモード解除時）にメモリに記憶しておいたモード記憶状態を基に判断する。
【００１８】
ステップＳ１６では、マナーモードに復帰して処理を終える。つまり、携帯電話機１がクレードル２から離脱され、人体に接触するようになったと判断して元のマナーモードに復帰する。この処理により着信時に振動部（バイブレータ）１７が作動するように設定される。
【００１９】
以上のように本実施の形態では、携帯電話機１をマナーモードに設定した状態でクレードル２に保持しても、着信があることが確実に報知できる携帯電話機が提供できる。また、クレードル２への保持、離脱に際して煩わしいモード切換操作が不要になる利点がある。
【００２０】
尚、本実施の形態では、携帯電話機１側の電圧検出部１８により携帯電話機１がクレードル２に保持、または離脱されたかを判断しているが、クレードル２側に携帯電話機１の保持、離脱により接点がオン、オフするスイッチ（保持判断スイッチ）を設けて、このスイッチからの検出信号を通信ラインを介して携帯電話機１側に通信して、制御部１４が鳴動部１６、振動部１７を制御するようにしてもよい。
【００２１】
図３は本発明の第１の実施の形態に係る携帯電話機用の保持装置３（クレードル）の構成図で、（ａ）は概略配置図、（ｂ）は構成ブロック図である。以下、図に従って説明する。
【００２２】
３は上部に携帯電話機１を保持する凹部３６を有するクレードルである。３１はクレードル３に保持された携帯電話機１の下部に接触し、着信時にバイブレータによる振動を検出する圧電センサ、マイクロフォン等からなる振動検出部である。３２は振動検出部３１からの検出結果に基いて音声報知部３３を作動させるか否かを判断する制御部で、マイクロコンピュータ等で構成されている。３３は制御部３２の指示によりブザー、スピーカ等を鳴動させる音声報知部である。３４は制御部３２の指示によりランプを点灯したり、液晶表示素子に文字を表示して着信を報知するための表示部である。２０は携帯電話機１に充電用電源を供給する充電電源部である。尚、携帯電話機１の構成は電圧検出部１８を除く第１の実施の形態と同じであるので同一番号を付し説明は省略する。
【００２３】
次に、制御部３２の行う着信報知処理について説明する。振動検出部３１の上部に携帯電話機１が搭載された状態で着信があると、携帯電話機１の振動部１７（バイブレータ）が振動し、その振動が振動検出部３１に伝達される。従って、振動検出部３１が所定以上の振動を検出すると、携帯電話機１がクレードル３に保持されていると判断できる。そこで、音声報知部３３に対してブザーを鳴らしたり、合成音をスピーカから出力させる。また、ランプを点灯（または点滅）したり、液晶表示素子に「着信あり」等を表示させることにより着信があったことを確実に報知できる。
【００２４】
以上のように本実施の形態では、クレードル３側のみで着信による振動を検出して音声報知部３３や表示部３４を作動させるので、携帯電話機１側は全く改良を必要としない利点がある。
【００２５】
図４は本発明の第２の実施の形態に係る携帯電話機用の保持装置４（クレードル）の構造図で、（ａ）は側面図、（ｂ）は上面図である。以下、図に従って説明する。
【００２６】
４は上部に携帯電話機１を保持する凹部４６を有するクレードルである。４７はクレードル４に保持された携帯電話機１の下部に接触して着信時のバイブレータにより振動するスピーカに用いられるコーン紙等の振動板である。４８は振動板４７からの振動波に共鳴する共鳴空間である。４９は共鳴空間４８から外部へ開いた開口部である。
【００２７】
次に、着信報知動作について説明する。着信により携帯電話機１の振動部１７（バイブレータ）が振動し、その振動が振動板４７に伝達される。振動板４７で発生した振動は共鳴空間４８内で増幅（拡声）され、開口部４９から外部へ放出される。クレードル４が機構部だけで構成されており、第１の実施の形態のクレードル３のように振動を検出して電気的に音声報知部を作動させるに比べて安価にできる。
【００２８】
以上のように本実施の形態では、クレードル４の一部に振動板４７と共鳴空間４８を設けるだけで、携帯電話機１側には全く改良を必要とせず、また、振動を検出して音声報知部を作動させるような特別な回路構成を設ける必要もないという利点がある。
【００２９】
図５は本発明の第２の実施の形態に係る携帯電話機５の構成を示すブロック図である。図６は本発明の第２の実施の形態に係る携帯電話機の制御部１４の行う着信報知処理のフローチャートである。以下、図に従って説明する。
【００３０】
５０は携帯電話機５側に付加され、クレードル６との間の近距離を通信エリアとする無線ＬＡＮ（Ｌｏｃａｌ  Ａｒｅａ  Ｎｅｔｗｏｒｋ）用送受信部である。６は携帯電話機５を車両の所定位置に保持するための保持装置（クレードルで、携帯電話機５が所定の位置、姿勢で保持されると充電電源部２０と携帯電話機５の充電端子部（図示せず）が接触して充電電圧が供給される。６０はクレードル６側に設けられ、携帯電話機５との間の近距離を通信エリアとする無線ＬＡＮ用送受信部である。６２は無線ＬＡＮ用送受信部６０の通信を制御する制御部である。尚、送受信部１１、音声出力部１２、音声入力部１３、制御部１４、操作部１５、鳴動部１６、振動部１７、電源部１９、充電電源部２０は第１の実施の形態の携帯電話機１と同じであるため同一番号を付し説明は省略する。尚、送受
信部１１と無線ＬＡＮ用送受信部５０は同一のものとし、アンテナ１１ａを共用するようにしてもよい。
【００３１】
次に、制御部１４の行う着信報知処理について図６のフローチャートに従って説明する。ステップＳ２１では、通信でクレードルが確認できたか否かを判断してクレードルが確認できればステップＳ２２に移り、クレードルが確認できなければ待機する。これは携帯電話機５がクレードル６に接近しているか否かを近距離通信可能なＬＡＮによりクレードル６とのデータ通信が可能か否かに基いて判断する。無線ＬＡＮ用送受信部５０では、例えば数ｍの範囲内なら通信可能であり、この範囲に携帯電話機５がクレードル６に接近しておれば無線ＬＡＮ用送受信部６０からの応答データが得られる。
【００３２】
ステップＳ２２では、マナーモードに設定されているか否かを判断してマナーモードに設定されているとステップＳ２３に移り、マナーモードに設定されていなければステップＳ２４に移る。この判断はユーザにより操作部（モード設定）１５にて予め設定されたモードの設定状態に基いて行う。
【００３３】
ステップＳ２３では、マナーモードを解除してステップＳ２４に移る。つまり、携帯電話機５とクレードル６が接近しており（必ずしも携帯電話機５が人体から離れてクレードル６に保持されているとは限らないが、クレードル６が車内に設置されている場合には、マナーモードを解除しても周囲（数ｍ範囲）に迷惑を及ぼす恐れはない）、前記モード設定状態をソフト処理にて変更し、マナーモードを解除して着信時に鳴動部１６が作動するように変更する。この状態で着信があると、マナーモードが解除されているため、リンガーが鳴動し着信があることが確実に報知できる。尚、携帯電話機５をクレードル６に近づける前はマナーモードであったことを制御部１４内のメモリに記憶しておく。
【００３４】
ステップＳ２４では、通信でクレードル６がなくなったことが確認できたか否かを判断してクレードル６がなくなったことが確認できればステップＳ２５に移り、クレードル６がなくなったことが確認できなければ待機する。これは携帯電話機５がクレードル６から遠ざかったか否かを近距離通信可能なＬＡＮによりクレードル６とのデータ通信が可能か否かに基いて判断する。携帯電話機５がクレードル６から数ｍ以上離れると、無線ＬＡＮ用送受信部５０は無線ＬＡＮ用送受信部６０からの応答データが得られなくなる。
【００３５】
ステップＳ２５では、携帯電話機５がクレードル６に近づいた時にマナーモードであったか否かを判断してマナーモードであればステップＳ２６に移り、マナーモードでなければ処理を終える。この判断は予めステップＳ２３でマナーモード解除時にメモリに記憶しておいたモード記憶状態を基に判断する。
【００３６】
ステップＳ２６では、マナーモードに復帰して処理を終える。つまり、携帯電話機５がクレードル６から所定距離以上離れ、ユーザに携帯され人体に接触するようになったと判断して元のマナーモードに復帰する。この処理により着信時に振動部（バイブレータ）１７が作動するように設定される。
【００３７】
以上のように本実施の形態では、携帯電話機５をマナーモードに設定した状態でクレードル６に保持しても、着信があることが確実に報知できる携帯電話機が提供できる。また、クレードル６への保持、離脱に際して煩わしいモード切換操作が不要になる利点がある。
【図面の簡単な説明】
【００３８】
【図１】本発明の第１の実施の形態に係る携帯電話機１の構成を示すブロック図である。
【図２】本発明の第１の実施の形態に係る携帯電話機１の制御部１４の行う着信報知処理のフローチャートである。
【図３】本発明の第１の実施の形態に係る携帯電話機用の保持装置３（クレードル）の構成図である。
【図４】本発明の第２の実施の形態に係る携帯電話機用の保持装置４（クレードル）の構造図である。
【図５】本発明の第２の実施の形態に係る携帯電話機５の構成を示すブロック図である。
【図６】本発明の第２の実施の形態に係る携帯電話機５の制御部１４の行う着信報知処理のフローチャートである。
【符号の説明】
【００３９】
１、５・・・携帯電話機、            ２、３、４、６・・・・クレードル、
１１・・・・送受信部、              ２０・・・・充電電源部、
１２・・・・音声出力部、            ３１・・・・振動検出部、
１３・・・・音声入力部、            ３２、６２・・・・制御部、
１４、６４・・・制御部、            ３４・・・表示部、
１５・・・・操作部、                ３６、４６・・・凹部、
１６・・・・鳴動部、                ４７・・・・振動板、
１７・・・・振動部、                ４８・・・・共鳴空間、
１８・・・・電圧検出部、            ４９・・・・開口部、
１９・・・・電源部、            ５０、６０・・・無線ＬＡＮ用送受信部。
【図１】
2007174716.tif 000003
【図２】
2007174716.tif 000004
【図３】
2007174716.tif 000005
【図４】
2007174716.tif 000006
【図５】
2007174716.tif 000007
【手続補正書】
【提出日】平成19年4月26日(2007.4.26)
【手続補正１】
【補正対象書類名】図面
【補正対象項目名】図６
【補正方法】追加
【補正の内容】
【図６】
2007174716.tif 000008